(57)【特許請求の範囲】
【請求項１】
既存の外壁の外面に複数の縦胴縁を設けて複数の縦胴縁に新規の外装材を固定すると共に縦胴縁間を通気空間とする改装壁の構造であって、水切り固定縦片と水切り傾斜片とを有する水切り材の水切り固定縦片下端より外方に水切り傾斜片を突設して水切り傾斜片の裏面に通気カバーとの係止部を設け、通気カバーが水切り傾斜片の係止部に着脱自在に係止する係止片と係止片の一端部より水切り固定縦片下端から水切り傾斜片を突設した方向と反対方向に突出して通気孔を設けた覆い片とから成り、水切り固定縦片を縦胴縁下端部に固着して、水切り傾斜片を新規の外装材の下端面に近接して配置すると共に通気カバーの覆い片が通気空間の下端部開口部と縦胴縁下端を覆うように配置し、覆い片の通気空間の下端部開口部を覆う部分に設けた通気孔を介して通気空間と屋外とを連通してなる改装壁の構造において、係止部を、水切り傾斜片の裏面より下方に突出した断面略Ｊ字状の外側係止突片及び水切り傾斜片の裏面より下方に突出してその下端に凸部を設けた内側係止突片をその外側係止突片の先端の向きと内側係止突片の凸部の向きが相対するように設けて構成し、この外側係止突片と内側係止突片との間に通気カバーの係止片を係止して成ることを特徴とする改装壁の構造。
【請求項２】
軒天井と新規の外装材との間に軒天見切縁を配置して固定し、軒天見切縁に通気孔を設けて通気空間と屋外とを通気孔を介して連通して成ることを特徴とする請求項１記載の改装壁の構造。
【請求項３】
軒天井と新規の外装材との間に配置して縦胴縁上端部に固定する軒天見切縁の上端と軒天井の隙間に防水パッキンを充填して成ることを特徴とする請求項２記載の改装壁の構造。
【発明の詳細な説明】
【０００１】
【発明の属する技術分野】
本発明は、既存の外壁の外面に複数の縦胴縁を設けて複数の縦胴縁に新規の外装材を固定すると共に縦胴縁間を通気空間とする改装壁の構造に関するものである。
【０００２】
【従来の技術】
従来より、既存の外壁に新規に外装壁を取り付ける改装壁において、既存の外壁の表面にまず複数の縦胴縁を設け、次に複数の縦胴縁の表面に外装材を設ける改装壁が知られている。このような改装壁では複数設けられた縦胴縁間の通気空間に空気を通すという通気構法を行っているが、通気空間を屋外に対して開口させたまま放置しておくと、昆虫や小鳥が通気空間内に入り込んで巣を作り、改装壁に悪影響を及ぼすという問題があった。このため、通気空間の通気性を確保しつつ昆虫や小鳥の通気空間への侵入を阻止できるよう、通気空間が屋外に対して開口しないよう覆いをすることが必要となり、通気空間の下端部開口部を覆う覆いを一体化した水切り材を使用することが考えられた。
【０００３】
しかし、改装壁には縦胴縁の厚さが異なるものが複数存在するため、通気空間の下端部開口部を覆う覆いを一体化させた水切り材を使用するとなれば、縦胴縁の厚さに応じて覆い部分の長さが異なる複数の水切り材が必要となり、製造コストがかさむといった問題点が浮上してきた。
【０００４】
【発明が解決しようとする課題】
本発明は上記の点に鑑みてなされたものであり、その目的とするところは、通気空間の下端部開口部を覆うと共に通気を確保するための通気孔を設けた覆いを通気カバーとし、縦胴縁の厚さに応じて長さが異なる種々の通気カバーを着脱自在に係止できる水切り材を下端部付近に配置する改装壁の構造を提供することを課題とするものである。
【０００５】
【課題を解決するための手段】
上記課題を解決するために本発明に係る改装壁の構造は、既存の外壁１の外面に複数の縦胴縁２を設けて複数の縦胴縁２に新規の外装材３を固定すると共に縦胴縁２間を通気空間４とする改装壁の構造であって、水切り固定縦片６１と水切り傾斜片６２とを有する水切り材６の水切り固定縦片６１下端より外方に水切り傾斜片６２を突設して水切り傾斜片６２の裏面に通気カバー７との係止部６３を設け、通気カバー７が水切り傾斜片６２の係止部６３に着脱自在に係止する係止片７１と係止片７１の一端部より水切り固定縦片６１下端から水切り傾斜片６２を突設した方向と反対方向に突出して通気孔７２を設けた覆い片７３とから成り、水切り固定縦片６１を縦胴縁２下端部に固着して、水切り傾斜片６２を新規の外装材３の下端面に近接して配置すると共に通気カバー７の覆い片７３が通気空間４の下端部開口部４２と縦胴縁２下端を覆うように配置し、覆い片７３の通気空間４の下端部開口部４２を覆う部分に設けた通気孔７２を介して通気空間４と屋外とを連通してなる改装壁の構造において、係止部６３を、水切り傾斜片６２の裏面より下方に突出した断面略Ｊ字状の外側係止突片６３ａ及び水切り傾斜片６２の裏面より下方に突出してその下端に凸部を設けた内側係止突片６３ｂを外側係止突片６３ａの先端の向きと内側係止突片６３ｂの凸部の向きが相対するように設けて構成し、この外側係止突片６３ａと内側係止突片６３ｂとの間に通気カバー７の係止片７１を係止して成ることを特徴とするものである。このような構造とすることで、通気性を確保しつつ通気空間４の下端部開口部４２を覆う通気カバー７を水切り材６に対して着脱自在とすることができ、その結果、使用する水切り材６が同一のものであっても長さの異なる通気カバー７を着脱すれば、縦胴縁２の厚さの異なる改装壁５に適用できるようになるものである。
【０００６】
また、軒天井８と新規の外装材３との間に軒天見切縁９を配置して固定し、軒天見切縁９に通気孔１０を設けて通気空間４と屋外とを通気孔１０を介して連通することが好ましい。このような構造とすることで、通気性を確保しながら通気空間４の上端部開口部４１を覆うことができるものである。
【０００７】
また、軒天井８と新規の外装材３との間に配置して縦胴縁２上端部に固定する軒天見切縁９の上端と軒天井８の隙間に防水パッキン１１を充填することが好ましい。このような構造とすることで、軒天井８と軒天見切縁９との隙間からの雨水の侵入を阻止することができるものである。
【０００８】
【発明の実施の形態】
以下、本発明を添付図面に示す実施形態に基づいて説明する。
【０００９】
図１は本実施形態の改装壁５の構造の断面図である。改装壁５は、既存の外壁１の外面に縦胴縁２を複数列設け、その複数列の縦胴縁２の外面にさらに新規の外装材３を設け、その下端部に水切り材６や通気カバー７を配置すると共に軒天井８付近の上端部に軒天見切縁９を配置するものである。そして、既存の外壁１と新規の外装材３との間に位置する複数列の縦胴縁２間の空間を通気空間４とし、通気空間４の上端部開口部４１と下端部開口部４２を介して通気空間４に通気することで、通気構法を成立させるものである。図１中の矢印イ、ロは空気の流れを示すものである。
【００１０】
まず、本実施形態の改装壁５の下端部の構造について説明する。図２は本実施形態の改装壁５の構造の下端部の断面図である。改装壁５の下端部に配置される水切り材６は、水切り固定縦片６１、水切り傾斜片６２、外装材受け部６４、垂下片６５とで構成される。水切り固定縦片６１の下端より外下方に向けて水切り傾斜片６２を突設すると共に水切り傾斜片６２の先端より下方に向けて垂下片６５を垂設し、水切り傾斜片６２の上端部より上方に向けて外装材受け部６４を突設してあり、この外装材受け部６４は、水切り傾斜片６２より上方に突設する垂直片６４ａと、垂直片６４ａ上端から外下方に向けて突設した断面略ヘ字状の水返し片６４ｂとで構成される。さらに水切り傾斜片６２の裏面には通気カバー７を係止する係止部６３を設けてあり、この係止部６３は水切り傾斜片６２の裏面より下方に突出した断面略Ｊ字状の外側係止突片６３ａと、水切り傾斜片６２の裏面より下方に突出してその下端に凸部を設けた内側係止突片６３ｂとで構成され、外側係止突片６３ａの先端の向きと内側係止突片６３ｂの凸部の向きが相対するようになっており、この間に通気カバー７の係止片７１を係止するものである。
【００１１】
通気カバー７は、水切り傾斜片６２裏面の係止部６３に着脱自在に係止する係止片７１と、係止片７１の一端部より突出し、通気孔７２を設けた断面略Ｌ字状の覆い片７３とで構成される。
【００１２】
既存の外壁１に上記のような縦胴縁２、新規の外装材３、水切り材６を取り付けて改装壁５を構築するのであるが、施工手順としては、まず既存の外壁１に縦胴縁２を複数列設け、この設けた縦胴縁２の下端部外面に、水切り材６の水切り固定縦片６１を当接してビス、釘等の固着具１２ａで固着し、通気カバー７の係止片７１を水切り傾斜片６２裏面の係止部６３に係止するのである。こうして通気カバー７を水切り傾斜片６２に取り付けたとき、通気カバー７の覆い片７３が縦胴縁２下端と通気空間４の下端部開口部４２を覆う状態となり、小鳥や昆虫の通気空間４への侵入を防止できるると共に、覆い片７３に設けた通気孔７２を介して外気を通気空間４に通気することが可能となるものである。
【００１３】
上記のように縦胴縁２の下端部に水切り材６を取り付けた状態で、この水切り材６をスタータとして、上下方向に複数に分割された新規の外装材３を下から上へと載設して縦胴縁２に取り付けていくのである。すなわち、スタータである水切り材６の外装材受け部６４に最下段の外装材３の下端凹部３１を嵌め込んで、この外装材３を縦胴縁２に直接または固着具（図示せず）等により固着し、この最下段の外装材３の上端凸部（図示せず）に下から二段目の外装材３の下端凹部３１を嵌め込んでこの外装材３を縦胴縁２に固着し、このようにして外装材３同士の凹凸嵌合によって更に上に隣接する外装材３を載設、固着して改装壁５を構築していくものである。
【００１４】
凹凸嵌合は公知の技術であるが、本実施形態ではこの凹凸嵌合のために外装材３に設けられた下端凹部３１を利用するため、水切り材６に外装材受け部６４を設けて最下段の外装材３の下端凹部３１を嵌め込み、最下段の外装材３の位置決めを行うものである。
【００１５】
外装材受け部６４の垂直片６４ａ上端からは外下方に向けて断面略ヘ字状の水返し片６４ｂが突出しているが、この水返し片６４ｂの傾斜がガイドとなって、外装材受け部６４に最下段の外装材３の下端凹部３１をスムーズに嵌め込むことができるものである。
【００１６】
また、外装材受け部６４の垂直片６４ａは、水切り傾斜片６２の表面を外側に流下すべき雨水が風で吹き上げられて水切り傾斜片６２の上端部へ逆流してきても、それ以上の侵入を阻止するもので、強風等で雨水がさらに垂直片６４ａの表面を上ってきても、水返し片６４ｂの存在によってそれ以上の侵入を阻止できるものである。
【００１７】
なお、１３は既設の建物の基礎を表している。
【００１８】
以上が本実施形態の改装壁５の構造の下端部についてであるが、通気カバー７を水切り材６に対して着脱自在とすることで、縦胴縁２の厚さの異なる改装壁５に対しても、縦胴縁２の厚さに応じて覆い片７３の長さが異なる通気カバー７を使用すれば、通気空間４への通気を可能としたまま下端部開口部４２を覆うことができるものである。
【００１９】
次に、本実施形態の改装壁５の上端部の構造について説明する。改装壁５の上端部に配置される軒天見切縁９は、見切縁固定縦片９１、支持片９２、パッキン接着片９３、外装材覆い片９４とで構成される。見切縁固定縦片９１の上端より上方に向けて断面略Ｌ字状の支持片９２を突設して更にその先端より外側斜め上方へ向けて板状のパッキン接着片９３を突設し、見切縁固定縦片９１の下端からは断面略Ｌ字状の外装材覆い片９４を突設して更にその先端からは内側斜め上方へ向けて折り返し片９５が突出している。また、支持片９２の下面には、上端部開口部４１を介して通気空間４と屋外とを連通する通気孔として、四半球状で開口部１０ａが内方を向いている通気ルーバー１０を下方に切り起こしてある。
【００２０】
縦胴縁２上端は軒天井８にかなり接近して配置されるが、外装材３は外装材３上端と軒天井８との間に幾分かの空間ができるよう配置され、その空間に軒天見切縁９を配置するものである。軒天見切縁９の配置は、見切縁固定縦片９１を縦胴縁２上端部にリベット等の固着具１２bで固着することによって実施される。このとき、外装材覆い片９４によって外装材３上端部が覆われると共に、支持片９２とパッキン接着片９３とによって縦胴縁２上端部と軒天井８の隙間が覆われ、改装壁５の上端部の隙間全体を覆うことができるものである。そして、通気ルーバー１０によって、上端部開口部４１を介して通気空間４に通気が可能となるものである。
【００２１】
また、パッキン接着片９３の軒天井８側の面に防水パッキン１１を接着し、防水パッキン１１を軒天井８の表面に圧接することによって、軒天井８と軒天見切縁９との隙間からの雨水の侵入を防止することができるものである。防水パッキン１１の軒天井８への圧接は、見切縁固定縦片９１上端より突設された断面略Ｌ字状の支持片９２、さらに支持片９２上端より突設されたパッキン接着片９３を介して行われるので、適度な弾性力で圧接することができるものである。
【００２２】
次に図３に基づいて他の実施形態について説明する。上実施形態では通気ルーバー１０は支持片９２の下面に設けられ、支持片９２上端より外側斜め上方へ向けて板状のパッキン接着片９３が突設されていた。これに対して本実施形態では、通気ルーバー１０をその開口部１０ａを下方へ向けて見切縁固定縦片９１ａの外面に切り起こすと共に、支持片９２上端より断面が略へ字状のパッキン接着片９３ａを外方へ向けて突設している。図中の矢印ハは空気の流れを示すものである。
【００２３】
以上のように構成することによって、通気ルーバー１０を上端部開口部４１に近接させて配置することで通気空間４への通気がスムーズにできるようになると共に、断面が略へ字状のパッキン接着片９３ａを使用することで防水パッキン１１を均一の圧力でむらなく軒天井８に圧接できるようになるものである。
【００２４】
【発明の効果】
上記のように本発明の請求項１記載の発明にあっては、既存の外壁の外面に複数の縦胴縁を設けて複数の縦胴縁に新規の外装材を固定すると共に縦胴縁間を通気空間とする改装壁の構造であって、水切り固定縦片と水切り傾斜片とを有する水切り材の水切り固定縦片下端より外方に水切り傾斜片を突設して水切り傾斜片の裏面に通気カバーとの係止部を設け、通気カバーが水切り傾斜片の係止部に着脱自在に係止する係止片と係止片の一端部より水切り固定縦片下端から水切り傾斜片を突設した方向と反対方向に突出して通気孔を設けた覆い片とから成り、水切り固定縦片を縦胴縁下端部に固着して、水切り傾斜片を新規の外装材の下端面に近接して配置すると共に通気カバーの覆い片が通気空間の下端部開口部と縦胴縁下端を覆うように配置し、覆い片の通気空間の下端部開口部を覆う部分に設けた通気孔を介して通気空間と屋外とを連通してなる改装壁の構造において、係止部を、水切り傾斜片の裏面より下方に突出した断面略Ｊ字状の外側係止突片及び水切り傾斜片の裏面より下方に突出してその下端に凸部を設けた内側係止突片をその外側係止突片の先端の向きと内側係止突片の凸部の向きが相対するように設けて構成し、この外側係止突片と内側係止突片との間に通気カバーの係止片を係止しているので、通気性を確保しつつ通気空間の下端部開口部を覆う通気カバーを水切り材に対して着脱自在とすることができ、使用する水切り材は同一のものであっても通気カバーさえ換えれば、縦胴縁の厚さの異なる改装壁に適用できるようになり、その結果、それぞれの改装壁専用の水切り材を製造する必要がなくなり、コストダウンを図られるものである。
【００２５】
また請求項２記載の発明にあっては、上記請求項１記載の発明の効果に加えて軒天井と新規の外装材との間に軒天見切縁を配置して固定し、軒天見切縁に通気孔を設けて通気空間と屋外とを通気孔を介して連通しているので、通気性を確保しながら通気空間の上端部開口部を覆うことができるものである。
【００２６】
また請求項３記載の発明にあっては、上記請求項２記載の発明の効果に加えて軒天井と新規の外装材との間に配置して縦胴縁上端部に固定する軒天見切縁の上端と軒天井の隙間に防水パッキンを充填しているので、軒天井と軒天見切縁との隙間から水が侵入するのを防止することができるものである。
【図面の簡単な説明】
【図１】本発明の一実施形態の断面図である。
【図２】本発明の一実施形態の下端部における断面図である。
【図３】本発明の他の実施形態の上端部における断面図である。
【符号の説明】
１    既存の外壁
２    縦胴縁
３    外装材
４    通気空間
５    改装壁
６    水切り材
６１  水切り固定縦片
６２  水切り傾斜片
６３  係止部
７    通気カバー
７１  係止片
７２  通気孔
７３  覆い片
８    軒天井
９    軒天見切縁
１０  通気孔
１１  防水パッキン
【図１】
0003637839.tif 000002
【図２】
0003637839.tif 000003
【図３】
0003637839.tif 000004